(57)【特許請求の範囲】
【請求項１】
バックルハウジング（３）と、前記バックルハウジング（３）にベルトタング（４）が挿入されたときに当該ベルトタング（４）をラッチするラッチ機構（２）と、前記ラッチ機構（２）をラッチ方向に付勢するバネと、前記バネの付勢力に抗してラッチを解除するための押しボタン（５）と、端部が車体に固定されたコード（６）のループ（１３）を支持する締結装置（７）と、前記締結装置（７）をバックルハウジング（３）に固定するリベットピン（１４）とを備えたシートベルトシステム用ベルトバックル（１）であって、
前記締結装置（７）はプレート状のベース本体（８）と、前記ベース本体（８）の表面（９）から軸方向（１０）に突出する支持突起（１１）とを備え、
前記支持突起（１１）は、前記コード（６）によって形成されたループ（１３）を支持する弓状の支持面（１２）を有し、
リベットピン（１４）が前記支持突起（１１）から前記軸方向（１０）に延びる構成であり、
前記支持面（１２）と前記コード（６）の前記ループ（１３）との接点を頂点（１５）としたときに、前記リベットピン（１４）の中心（１７）が、前記支持面（１２）の曲率半径中心に対して、前記頂点（１５）側にオフセットしていることを特徴とする。
【請求項２】
前記支持面（１２）が円弧状に成形されていることを特徴とする、請求項１に記載のベルトバックル（１）。
【請求項３】
前記支持面（１２）が楕円の弧状に成形されていることを特徴とする、請求項１に記載のベルトバックル（１）。
【請求項４】
少なくとも一つのコードブラケット（１９）が前記締結装置（７）上に形成され、
前記コードブラケット（１９）は、前記コード（６）の直径（２０）だけ離れていて、前記支持面（１２）の向かい側に配置されていることを特徴とする、請求項１〜３のいずれか一項に記載のベルトバックル（１）。
【請求項５】
前記ベース本体（８）は長方形状に成形され、
前記軸方向（１０）から見たときに、前記支持面（１２）の前記頂点（１５）が前記ベース本体（８）の長辺上にあるように、前記支持突起（１１）が配置されていることを特徴とする、請求項１〜４のいずれか一項に記載のベルトバックル（１）。
【請求項６】
前記締結装置（７）は一体成形品であることを特徴とする、請求項１〜５のいずれか一項に記載のベルトバックル（１）。
【請求項７】
位置決め用の突起を更に備え、
前記ベース本体（８）の外縁には、正常に組み立てられたときに前記位置決め用の突起に嵌め合う凹部（２２）が形成されていることを特徴とする、請求項１〜６のいずれか一項に記載のベルトバックル（１）。
【発明の詳細な説明】
【技術分野】
【０００１】
本発明は、ロックハウジングに押し付けられるベルトタングをロックするためのバネ負荷ロック機構、およびベルトバックルを解除するのに必要な圧力を加えるための、ハウジング上のバネ作用下で移動可能にガイドされる押しボタンを備えた安全ベルトシステム用のベルトバックルに関し、ベルトバックルを車両へ固定させるケーブルは、ロックハウジングにリベット留めされた固定装置によってロックハウジングに固定され、固定装置はベース領域を有するプレート状のベース本体を含み、ケーブルによって形成されたループに対して半径方向に弓状の接触面を備えた接触突起がベース本体から軸方向に突出し、リベットピンは接触突起から軸方向に突出する。
【背景技術】
【０００２】
例えば、米国特許第４，４５４，６３４号明細書から、ベルトタングが開方向において押されないとき、およびベルトタングがロック位置において押されるとき、バネで留められるロック機構を有するベルトバックルが知られている。ロック機構のロックされた位置において、ロックバーはロックピンによってベルトタングと係合して保持されている。そしてロックピンは、Ｌ型溝付きガイドにおいてロックハウジングの内部にガイドされ、ロックハウジング上でガイドされた作動ボタンによって移動可能である。
【０００３】
ベルトバックルは、ケーブルによって車両に固定されている。ケーブルは、ベルトバックルの内部にループとしてガイドされている。ループは、固定装置の接触突起の接触面上にある。固定装置は、プレート状のベース本体を含み、そこから接触突起が軸方向に突出し、そしてそのベース本体からリベットピンが突出する。固定装置は、ロックハウジングを通るリベットピンによってロックハウジングに固定される。
【先行技術文献】
【特許文献】
【０００４】
【特許文献１】米国特許第４，４５４，６３４号明細書
【発明の概要】
【発明が解決しようとする課題】
【０００５】
現在、ベルトバックルの安定性および安全性要件を軽視せずに、押しボタンの移動方向においてベルトバックルの寸法を縮小するための試みがなされている。
【０００６】
これに基づいて、本発明の目的は、従来技術を参照して説明された問題を少なくとも部分的に解決することであり、特に、押しボタンの移動方向においてより小さい寸法を有するベルトバックルを提供することである。これらの目的は、独立請求項の特徴を備えたベルトバックルで達成される。ベルトバックルの有利な実施形態は、従属請求項および明細書において提供され、技術的に実現可能な方法で、好ましい実施形態の特徴を任意に組み合わせて使用することができる。
【課題を解決するための手段】
【０００７】
その目的は特に、リベットピンが、周りにケーブルが巻き付けられる接触突起の弓状の接触面の頂点に偏心してオフセットされるという点で達成され、それによって、リベットピンの中心から接触面の頂点までの距離は、頂点上の接触面の曲率半径より小さい。
【０００８】
ロック機構は、特に一つまたは複数のバネと、ロック位置にあるベルトタングを固定するロックハウジングに回動可能に取り付けられたロックバーと、ロック位置にロックバーを固定するロックピンと、ロックピンと係合するバネ負荷レバーとを含む。さらに、ベルトタングと係合する排出装置がある。レバーは特に、レバーに作用するバネが、解除またはロックプロセスにおいて中立位置からロック位置または解除位置へレバーを込めることができるように、ロックタングによって作動される排出装置に回動可能に取り付けられる。ここで、レバーは、ロックピンがロック位置においてロックバーを固定するようなロック位置において、ロックピンを保持するように配置される。ロック機構のより詳細な機能に関して、米国特許第４，４５４，６３４号明細書を参照のこと。それに対する、ロック機構の要素の機能に関しての完全な参照がここでなされている。これに関連して、出願人のドイツ特許第１０  ２００８  ０２２  ６７５  Ｂ３号明細書も引用され、それに対する、ロック機構の機能に関しての完全な参照がなされている。
【０００９】
固定装置のプレート状のベース本体は、特に縦方向、縦方向に垂直な横方向、および縦方向と横方向とに垂直な軸方向に延在し、プレート状のベース本体は、特に縦方向および横方向より軸方向において小さい寸法を有する。接触突起はここで、ベース本体の縦方向および横方向に広がるベース領域から軸方向に突出する。軸方向に対して半径方向に、接触突起は、ケーブルによって形成されたループの内側が支持する接触面を有し、それによってケーブルは、軸方向においてベース面に支持することができる。ここで、接触面に支持するケーブル部分の中間が支持する接触面上の点は、頂点であると理解される。ロックハウジングにリベット留めされたリベットピンは、接触突起から軸方向に突出する。リベットピンは特に、円形の断面を有し、それによって断面の半径は、接触突起の断面の半径より小さい。ここで、および下記で、断面は軸方向を横切る部分として理解される。
【００１０】
本発明によると、リベットピンは、ケーブルが周りに巻き付けられる接触面に対して半径方向にオフセットされ、特に頂点に対して半径方向にオフセットされる。極端な場合、リベットピンの半径方向の円周表面は接触面と同一平面であることがある。リベットピンの中心は、特にリベットピンの円形断面の中心にある。「頂点上の接触面の曲率半径」という用語は、接触面の曲率半径が、接触面に支持するケーブルの中心が支持する点において決定されることを意味する。この種の距離の寸法は、特に、リベットピンが接触面に対してオフセットされることを必要とする。
【００１１】
接触面に対するリベットピンのこの偏心オフセットによって、ロックハウジング上の同じリベット点と共に、ケーブルは押しボタンと反対のベルトバックルの端に対してオフセットされることがここで達成され、その結果、押しボタンの方向にあるリベットピンから開始して、ベルトバックルの他の部品に対するより大きいスペースがあり、この方向において、ベルトバックルはより短くなることがある。
【００１２】
ベルトバックルの有利な実施形態によると、接触突起の接触面は円弧を示す。したがって、軸方向を横切る接触突起の断面は、支持するケーブルの領域において円弧である。この場合、ケーブルのループは、基本的に半円形の接触面に支持し、この半円形においてケーブルはどこでも同じ曲率半径を有することになる。
【００１３】
あるいは、接触面は楕円弧を示すものとする。この場合、接触面の曲率はループに沿って変化することになる。したがって、ケーブルのループの頂点は、特に楕円弧の頂点に支持することになる。したがって、距離の測定に関連する曲率半径は、頂点での楕円の曲率半径であることになる。このような設計によって、頂点における接触面の曲率半径は、接触面上の他の点における場合より大きいことになる。
【００１４】
ベルトバックルの追加の実施形態によると、少なくとも一つのケーブル取付ブラケットが固定装置上に構成され、ケーブル取付ブラケットは、接触面から少なくともケーブル径に対応する距離だけ離れて、接触面の反対側に配置されているものとする。ケーブル取付ブラケットは特に、ベース本体から軸方向に突出する。ケーブル取付ブラケットは、ケーブル取付ブラケットと接触面との間のケーブルのループの挿入を可能にし、その結果、ループは、ケーブル取付ブラケットと接触面との間に固定される。これには、ベルトバックルを組み立てる際、ケーブルの予め組み立てられたループを備えた固定装置が、ベルトバックルへ挿入可能であるという利点がある。
【００１５】
固定装置が比較的小さい重量を有するように、ベース本体は長方形の基本形状を備え、ベース本体の長手方向側は接触面の領域、特に接触突起の頂点と同一平面であるものとする。
【００１６】
これは、特に、ベース本体が、接触面にわたるすべての側に突出しないことを意味する。
【００１７】
さらなる実施形態によると、固定装置は一つの部品として形成され、それによって、固定装置の簡単かつコスト効率の高い製造が可能になる。
【００１８】
また、組立異常を避けるために、凹部がベース本体に形成されるものとする。凹部に対応する突起は、ベルトバックルに形成され、固定装置が組立中に正しく配置されると、その凹部上にベース本体が載り、一方で固定装置の間違った配置によって、固定装置の別の領域が突起に載ることになり、これにより間違った配置が明らかになる。
【００１９】
本発明および技術的環境は、図面を参照して下記に説明され、図面が本発明の有利な実施形態を示すことに留意するべきであるが、本発明はそれらに限定されない。以下の図面は概略図の形で示される。
【図面の簡単な説明】
【００２０】
【図１】固定装置を備えた従来技術のベルトバックルを示す図である。
【図２】ケーブル上の固定装置の第１実施形態を示す図である。
【図３】図２の固定装置を示す斜視図である。
【図４】固定装置の第２実施形態の上面図である。
【図５】固定装置の第３実施形態を示す図である。
【図６】固定装置の第４実施形態を示す図である。
【図７】固定装置の第５実施形態を示す図である。
【発明を実施するための形態】
【００２１】
図１は、ロックバー２３を含むロック機構２がその中に配置されているロックハウジング３を備えた従来技術のベルトバックル１を示す。ベルトバックル１のロック位置において、ベルトタング４は、ロックバー２３によってロックハウジング３内に固定されている。ロックハウジング３に移動可能に取り付けられた押しボタン５を作動させることによって、ロック機構２が作動され、その結果ベルトタング４が解放される。ロック機構２の正確な機能は、従来技術において詳細に説明され、本発明にとっては重要ではない。
【００２２】
ベルトバックル１は、ケーブル６によって車両へ固定される。ケーブル６は、ロックハウジング３の内部にループ１３としてガイドされ、固定装置のリベットピン１４を介して、固定装置７によってロックハウジング３にリベット留めされる。固定装置７およびそれと係合するケーブル６は、下記の例示実施形態において、さらに詳細に説明される。
【００２３】
固定装置７の第１実施形態を、図２および図３に示し、それによって図２では、ケーブル径２０を有するケーブル６も示す。固定装置７は、ベース面９を有するベース本体８を含み、ベース面９から接触突起１１が軸方向１０に突出する。接触突起１１は、その円周上に、半径方向に弓状の接触面１２を有し、それに対してケーブル６によって形成されたループ１３の内側が支持する。そして、接触突起１１から、リベットピン１４が軸方向１０に突出し、それによって固定装置７がロックハウジング３にリベット留めされる。本発明によると、中心１７を備えるリベットピンは、ここで接触面１２の頂点１５に対して偏心オフセットされる。頂点はここで、接触面１２と支持するケーブル部分の中心が支持する点として定義される。したがって、リベットピン１４の中心１７から頂点１５までの距離１６は、頂点１５における接触面１２の曲率半径１８より小さい。本実施形態において、接触面１２は弓状の断面を有するので、頂点１５における曲率半径１８は円弧の半径に対応する。
【００２４】
さらに、軸方向１０に延在する２つのケーブル取付ブラケット１９は、ベース本体８上に形成される。ケーブル取付ブラケット１９と接触面１２との間の距離は、ケーブル６が接触面１２とケーブル取付ブラケットとの間に固定される程度である。さらに、組立異常を防ぐ凹部２２は、ベース本体８内に構成される。
【００２５】
図４は固定装置７の第２実施形態を示し、ここで、第１実施形態と比較した違いに特に注意する。固定装置７は、円形断面積があるベース本体８を有する。同様に円形断面がある接触突起１１は、ベース本体８のベース領域９から突出する。そして、リベットピン１４は、接触突起１１から突出する。中心１７を有するリベットピン１４は、接触突起１１の円形断面の中心に対して半径方向にオフセットされていることが理解できる。したがって、リベットピン１４の中心１７と接触面１２の頂点１５との間の距離１６は、頂点１６における接触面１２の曲率半径１８より小さい。
【００２６】
図５は、固定装置７の第３実施形態を示す。固定装置７は、長方形のプレート状のベース本体８と、そのベース領域９から突出する、断面が楕円形状の接触突起１１とを含む。接触突起１１は、接触面１２を有する。接触面１２は、長方形のベース本体８の長手方向側２１の頂点１５と同一平面である。リベットピン１４は接触突起１１から突出し、リベットピンの中心１７は、接触突起１１の接触面１２の頂点１５に対して軸方向にオフセットされている。頂点１５における接触面１２の曲率半径１８は、リベットピン１４の中心１７から接触面１２の頂点１５までの距離より大きい。
【００２７】
固定装置７の２つの実施形態を図６および図７に示し、その中でこれらの実施形態は、ケーブル取付ブラケット１９の設計において図５の第３実施形態と異なる。ケーブル取付ブラケット１９は、ケーブル径２０を有する、図示されたケーブル６がケーブル取付ブラケット１９と接触面１２との間に固定されるように、接触突起１１の楕円形状の接触面１２から離れて配置される。図６の実施形態では、ケーブル取付ブラケット１９は円形の断面を有するが、図７の実施形態では、ケーブル取付ブラケット１９は三角形の断面を有する。
【００２８】
本発明では、接触面１２の頂点１５の方向においてリベットピン１４が半径方向に偏心オフセットされていることによって、ベルトバックル１は、押しボタンの移動方向においてより短い長さで作ることができる。
【符号の説明】
【００２９】
１  ベルトバックル
２  ロック機構
３  ロックハウジング
４  ベルトタング
５  押しボタン
６  ケーブル
７  固定装置
８  ベース本体
９  ベース領域
１０  軸方向
１１  接触突起
１２  接触面
１３  ループ
１５  頂点
１６  距離
１７  中心
１８  曲率半径
１９  ケーブル取付ブラケット
２０  ケーブル径
２１  長手方向側
２２  凹部
２３  ロックバー
【図１】
0006275858.tif 000002
【図２】
0006275858.tif 000003
【図３】
0006275858.tif 000004
【図４】
0006275858.tif 000005
【図５】
0006275858.tif 000006
【図６】
0006275858.tif 000007
【図７】
0006275858.tif 000008